(57)【要約】【課題】  監視装置１が被監視装置２を監視する監視システムで、被監視装置２に備えられる監視対象となる機器Ａ１〜Ａ１２が計時機能を有さない場合においても、当該監視対象となる機器Ａ１〜Ａ１２に関するアラーム発生などの情報を時間情報と対応させて管理する。【解決手段】  被監視装置２に備えられた監視制御部１１では、時間情報管理手段２１が時間に関する情報を管理し、時間情報送信手段が当該管理される時間に関する情報を監視対象となる機器Ａ１〜Ａ１２に対して送信する。被監視装置２に備えられた監視対象となる機器Ａ１〜Ａ１２では、時間情報受信手段が前記時間情報送信手段により送信される時間に関する情報を受信し、監視対象機器情報管理手段が当該監視対象となる機器Ａ１〜Ａ１２に関する情報と当該受信された時間に関する情報とを対応させて管理する。【選択図】  図１
2005182120.tif 000002
【特許請求の範囲】
【請求項１】
監視装置が被監視装置を監視する監視システムにおいて、
被監視装置は、監視制御部と、監視対象となる機器を備え、
被監視装置に備えられた監視制御部は、時間に関する情報を管理する時間情報管理手段と、時間情報管理手段により管理される時間に関する情報を監視対象となる機器に対して送信する時間情報送信手段を有し、
被監視装置に備えられた監視対象となる機器は、監視制御部が有する時間情報送信手段により送信される時間に関する情報を受信する時間情報受信手段と、当該監視対象となる機器に関する情報と時間情報受信手段により受信された時間に関する情報とを対応させて管理する監視対象機器情報管理手段を有する、
ことを特徴とする監視システム。
【発明の詳細な説明】
【技術分野】
【０００１】
本発明は、監視装置が被監視装置を監視する監視システムに関し、特に、被監視装置に備えられる監視対象となる機器が計時機能を有さない場合においても、当該監視対象となる機器に関するアラーム発生などの情報を時間情報と対応させて管理することが可能な監視システムに関する。
【背景技術】
【０００２】
例えば、基地局監視制御システムでは、監視側の監視制御装置と各基地局装置側の増幅装置とを一般電話回線網を介して接続して、監視側の監視制御装置から各基地局装置側の増幅装置に備えられた監視対象となる増幅器などを監視及び制御することが行われている。
【発明の開示】
【発明が解決しようとする課題】
【０００３】
しかしながら、従来の基地局監視制御システムでは、監視対象となる増幅器などに関するアラーム発生などの情報を時間情報と対応させて管理する点について未だに不十分なところがあり、例えば、全ての構成ユニットに時刻を計時する機能を持たせるようなことが必要であり、更なる効率化が要求されていた。
本発明は、このような従来の事情に鑑み為されたもので、例えば、被監視装置に備えられる監視対象となる機器が計時機能を有さない場合においても、当該監視対象となる機器に関するアラーム発生などの情報を時間情報と対応させて管理することができる監視システムを提供することを目的とする。
【課題を解決するための手段】
【０００４】
上記目的を達成するため、本発明に係る監視システムでは、監視装置が被監視装置を監視する構成において、次のような処理を行う。
すなわち、被監視装置は、監視制御部と、監視対象となる機器を備えている。
そして、被監視装置に備えられた監視制御部では、時間情報管理手段が時間に関する情報を管理し、時間情報送信手段が時間情報管理手段により管理される時間に関する情報を監視対象となる機器に対して送信する。また、被監視装置に備えられた監視対象となる機器では、時間情報受信手段が監視制御部の時間情報送信手段により送信される時間に関する情報を受信し、監視対象機器情報管理手段が当該監視対象となる機器に関する情報と時間情報受信手段により受信された時間に関する情報とを対応させて管理する。
従って、被監視装置において、監視制御部から監視対象となる機器に対して時間に関する情報が通知されるため、例えば、監視対象となる機器が計時機能を有さないような場合においても、当該監視対象となる機器において、当該監視対象となる機器に関するアラーム発生などの情報を時間情報と対応させて管理することができる。これにより、時間情報管理の効率化を図ることができる。
【０００５】
ここで、監視制御部としては、種々な構成のものが用いられてもよい。
また、監視対象となる機器としては、種々なものが用いられてもよい。
また、１つの監視装置により監視される被監視装置の数としては、１又は複数の種々な数が用いられてもよい。
また、１つの被監視装置に備えられる監視対象となる機器の数としては、１又は複数の種々な数が用いられてもよい。
また、監視制御部の時間情報管理手段により管理される時間に関する情報としては、種々な情報が用いられてもよく、例えば、年や月や日や時刻の全て或いは一部を特定することができるような情報が用いられる。
また、監視対象となる機器に関する情報としては、種々な情報が用いられてもよく、例えば、正常に運用されているか或いは異常が発生したかを表す情報や、異常やアラームが発生した場合における当該異常や当該アラームの内容を表す情報のように、異常やアラームに関する情報などを用いることができる。
【０００６】
以下で、更に、本発明に係る構成例を示す。
一構成例として、監視対象となる機器が有する監視対象機器情報管理手段は、当該監視対象となる機器に関する情報が発生した時に近い時に時間情報受信手段により受信された時間に関する情報を、当該監視対象となる機器に関する情報と対応させて管理する。
例えば、監視対象となる機器が有する監視対象機器情報管理手段は、当該監視対象となる機器に関する情報が発生した時より以前であって最後に（最新に）時間情報受信手段により受信された時間に関する情報を、当該監視対象となる機器に関する情報と対応させて管理する、或いは、当該監視対象となる機器に関する情報が発生した時より以後であって最初に時間情報受信手段により受信された時間に関する情報を、当該監視対象となる機器に関する情報と対応させて管理する。
一構成例として、監視対象となる機器が有する監視対象機器情報管理手段は、当該監視対象となる機器に関する情報と時間情報受信手段により受信された時間に関する情報とを対応させて記憶する監視対象機器情報記憶手段を有する。
一構成例として、監視制御部が有する時間情報送信手段は、時間情報管理手段により管理される時間に関する情報を、監視対象となる機器に対して情報の応答を要求する電文に含めて送信する。
一構成例として、監視制御部が有する時間情報送信手段は、定期的に、時間情報管理手段により管理される時間に関する情報を監視対象となる機器に対して送信する。
一構成例として、監視対象となる機器は、複数存在する。そして、監視制御部が有する時間情報送信手段は、複数の監視対象となる機器のそれぞれに対して順に、時間情報管理手段により管理される時間に関する情報を送信する。
【０００７】
一構成例として、監視制御部が有する時間情報管理手段は、時間に関する情報として、リアルタイムクロック（ＲＴＣ）により計時される時間に基づく情報を管理する。
例えば、監視装置は、被監視装置に対して時間に関する情報を送信する監視時間情報送信手段を備える。そして、被監視装置は、監視装置から送信される時間に関する情報を受信する監視時間情報受信手段を備える。また、被監視装置に備えられた監視制御部が有する時間情報管理手段は、監視時間情報受信手段により受信される時間に関する情報及びリアルタイムクロックにより計時される時間に基づく情報を管理する。
一例として、監視装置では、実際の時刻等の情報を管理して、監視時間情報送信手段により当該情報を被監視装置の監視制御部へ送信し、被監視装置の監視制御部では、監視時間情報受信手段により当該情報を受信して、時間情報管理手段においてリアルタイムクロックにより計時される時刻を監視装置から通知された当該情報に基づく時刻に合わせるように設定し、これにより、監視装置と被監視装置の監視制御部との間で時刻の同期を取る。
【０００８】
一構成例として、被監視装置では、監視対象となる機器は、当該監視対象となる機器に関する情報を監視制御部に対して送信する監視対象機器情報送信手段を有する。
一構成例として、被監視装置では、監視制御部は、監視対象となる機器に関する情報を監視装置に対して送信する監視制御監視対象機器情報送信手段を有する。
一構成例として、監視装置と被監視装置とは、有線又は無線の回線を介して、通信可能に接続される。一例として、当該回線として、一般電話回線網の回線が用いられる。
一例として、被監視装置として、携帯電話システムや簡易型携帯電話システム（ＰＨＳ：Personal Handy phone System）などの移動体通信システムなどの基地局装置が用いられる。また、監視装置として、基地局装置を監視や制御する装置が用いられる。また、監視対象となる機器として、基地局装置に備えられた増幅器などが用いられる。
【発明の効果】
【０００９】
以上説明したように、本発明に係る監視システムによると、監視装置が被監視装置を監視する構成において、被監視装置では、監視制御部が、時間に関する情報を管理して、当該管理される時間に関する情報を監視対象となる機器に対して送信し、監視対象となる機器が、当該送信される時間に関する情報を受信して、当該監視対象となる機器に関する情報と当該受信された時間に関する情報とを対応させて管理するようにしたため、例えば、被監視装置に備えられる監視対象となる機器が計時機能を有さないような場合においても、当該監視対象となる機器に関するアラーム発生などの情報を時間情報と対応させて管理することができる。
【発明を実施するための最良の形態】
【００１０】
本発明に係る一実施例を図面を参照して説明する。
本例では、１つの監視制御装置により複数の基地局装置を監視及び制御する監視制御システム（基地局監視制御システム）に本発明を適用した場合を示す。
図１には、本例の基地局監視制御システムの構成例を示してある。
本例の基地局監視制御システムの監視側は、各基地局装置の状態を監視する監視制御装置１を備えて構成されている。監視制御装置１は、例えば、パーソナルコンピュータ（パソコン）を用いて構成されている。
本例の基地局監視制御システムの各基地局装置側は、入力信号の増幅を行う増幅装置２を備えて構成されている。なお、図１では、１つの基地局装置に関する構成例のみを示してあるが、他の基地局装置に関する構成例についても図示されるのと同様である。
また、本例では、監視側の監視制御装置１と各基地局装置側の増幅装置２との間は、一般電話回線網５により接続されている。具体的には、監視側の監視制御装置１は監視側のモデム３を介して一般電話回線網５と接続され、各基地局装置側の増幅装置２は各基地局装置側のモデム４を介して一般電話回線網５と接続される。
【００１１】
各基地局装置側の増幅装置２は、監視制御盤１１と、装置冷却用ファン（装置冷却用ＦＡＮ）１２と、複数である１２個の増幅器Ａ１〜Ａ１２を備えている。
各増幅器Ａ１〜Ａ１２は、入力信号を増幅するために使用される。
監視制御盤１１は、モデム４により通信を行う機能を有しており、また、装置冷却用ファン１２や複数の増幅器Ａ１〜Ａ１２といった構成ユニットのそれぞれの状態を監視する機能や、監視対象となる構成ユニットのいずれかに状態の変化が生じたときに監視制御装置１に対して当該状態変化を通知する機能を有している。ここで、監視される構成ユニットの状態としては、例えば、正常に運用されている状態や、アラームが発生した状態などがある。
また、本例の監視制御盤１１は、リアルタイムクロック（ＲＴＣ：Real Time Clock）のデバイス（ＲＴＣデバイス）２１を備えている。リアルタイムクロック（ＲＴＣ）は、一般に、或る事象の持続時間を測定するための時間カウンタである。
このように、本例の増幅装置２では、監視制御盤１１にＲＴＣデバイス２１を搭載することにより、各基地局装置に１つの計時機能を持たせている。
【００１２】
まず、本例の基地局監視制御システムの概略的な動作例として、増幅装置２の監視制御盤１１により基地局構成ユニットの状態変化の発生を監視制御装置１へ通知する方法の一例、及び、監視制御装置１において基地局装置の状態などの情報を取得する方法の一例を示す。
本例では、増幅装置２に備えられた１２番目の増幅器Ａ１２に「正常から異常への状態変化」が発生した場合における処理手順（処理１）〜（処理４）の一例を示す。ここで、複数の増幅器Ａ１〜Ａ１２のそれぞれには、それぞれに固有な識別情報である増幅器番号が設定されており、具体的には、１番目の増幅器Ａ１には増幅器番号“１”が設定されており、２番目の増幅器Ａ２には増幅器番号“２”が設定されており、・・・、１２番目の増幅器Ａ１２には増幅器番号“１２”が設定されている。
（処理１）増幅装置２に備えられた１２番目の増幅器Ａ１２に「正常から異常への状態変化」が発生した場合、当該状態変化が発生したことを監視制御盤１１が認識する。
（処理２）すると、監視制御盤１１は、監視制御装置１に対して、基地局装置側のモデム４と一般電話回線網５と監視側のモデム３を介して、電話回線を接続する。
（処理３）次いで、監視制御盤１１は、監視制御装置１との間でデータの通信（例えば、送受信）を行って、増幅装置２（当該監視制御盤１１が備えられた基地局装置の増幅装置２）に関する詳細な情報を監視制御装置１に対して送信し、これに応じて、監視制御装置１の側では、監視制御盤１１から通知された内容を画面上に反映や表示して監視者などに報知する。
（処理４）また、必要であれば、監視制御装置１により増幅装置２（当該監視制御盤１１が備えられた基地局装置の増幅装置２）に対してリセット制御を行う。
【００１３】
次に、監視制御装置１と各基地局装置の監視制御盤１１との間で行われる通信の一例を示す。
図２（Ａ）には、監視制御装置１から各基地局装置の監視制御盤１１へ送信される電文（信号）の一例を示してあり、また、図２（Ｂ）には、各基地局装置の監視制御盤１１から監視制御装置１へ送信される受信確認のための電文（受信確認電文）の一例を示してある。
本例では、監視制御装置１が定期的に或いは必要に応じて図２（Ａ）に示されるような電文をモデム３、４及び一般電話回線網５を介して各基地局装置の監視制御盤１１に対して送信し、当該電文を受信したことに応じて、当該監視制御盤１１が図２（Ｂ）に示されるような受信確認電文をモデム３、４及び一般電話回線網５を介して監視制御装置１に対して送信する。
具体的には、図２（Ａ）に示される電文は、ＳＴＸ（Start of Text）、所定の情報である“Ａ”、時刻データ（ＹＹ／ＭＭ／ＤＤ／ｈｈ／ｍｍ／ｓｓ）、ＥＴＸ（End of Text）といった情報から構成されており、同図（Ａ）にはバイト数の例や設定値の例を示してある。当該電文中の時刻データは、“／”の情報を含まずに１桁が１バイトである文字列から構成されており、時刻データ（ＹＹ／ＭＭ／ＤＤ／ｈｈ／ｍｍ／ｓｓ）中のＹＹが西暦年の下２桁（何年であるか）を表し、ＭＭが月（何月であるか）を表し、ＤＤが日（何日であるか）を表し、ｈｈが時間（何時であるか）を表し、ｍｍが分（何分であるか）を表し、ｓｓが秒（何秒であるか）を表す。
なお、監視制御装置１は、各基地局装置側の監視制御盤１１に対して、例えば、実際の時刻の情報或いはシステム内で使用されている時刻の情報を時刻データとして送信する。
【００１４】
各基地局装置側の監視制御盤１１は、監視制御装置１から図２（Ａ）に示される電文を受信すると、搭載されているＲＴＣデバイス２１により計時される時刻を、当該電文に含まれる時刻データから特定される時刻に合わせる。これにより、時刻に関して、監視制御盤１は、監視制御装置１との同期を取ることができる。
なお、図２（Ｂ）に示される受信確認電文は、ＳＴＸ、所定の情報である“Ｂ”、ＥＴＸといった情報から構成されており、同図（Ｂ）にはバイト数の例や設定値の例を示してある。
【００１５】
次に、各基地局装置の増幅装置２において、監視制御盤１１と構成ユニットである増幅器Ａ１〜Ａ１２との間で行われる通信の一例を示す。
図３（Ａ）には、監視制御盤１１から各増幅器Ａ１〜Ａ１２へ送信される情報要求のための電文の一例を示してあり、また、図３（Ｂ）には、各増幅器Ａ１〜Ａ１２から監視制御盤１１へ送信される情報応答のための電文（応答電文）の一例を示してある。
本例では、監視制御盤１１が定期的に或いは必要に応じて図３（Ａ）に示されるような電文を各増幅器Ａ１〜Ａ１２に対して送信し、当該電文を受信したことに応じて、当該各増幅器Ａ１〜Ａ１２が図３（Ｂ）に示されるような応答電文を監視制御盤１１に対して送信する。また、図３（Ａ）に示される電文は、監視制御盤１１から、構成ユニット数分、順次送信される。すなわち、本例では、増幅器群が１２台の増幅器Ａ１〜Ａ１２から構成されており、監視制御盤１１は、まず増幅器番号“１”を用いて１番目の増幅器Ａ１との間で電文を送受信し、次に増幅器番号“２”を用いて２番目の増幅器Ａ２との間で電文を送受信し、以降も同様にして順に増幅器番号“１２”まで電文を送受信して、その後、再び増幅器番号“１”を用いて電文を送受信して、同様な電文の送受信を繰り返して行う。
【００１６】
具体的には、図３（Ａ）に示される電文は、ＳＴＸ、所定の情報である“ＡＤ”、増幅器番号、時刻データ（ＹＹ／ＭＭ／ＤＤ／ｈｈ／ｍｍ／ｓｓ）、Ｃ／Ｒ（Command／Response）といった情報から構成されており、同図（Ａ）にはバイト数の例や設定値の例を示してある。当該電文中の時刻データは、“／”の情報を含まずに１桁が１バイトである文字列から構成されており、時刻データ（ＹＹ／ＭＭ／ＤＤ／ｈｈ／ｍｍ／ｓｓ）中のＹＹが西暦年の下２桁（何年であるか）を表し、ＭＭが月（何月であるか）を表し、ＤＤが日（何日であるか）を表し、ｈｈが時間（何時であるか）を表し、ｍｍが分（何分であるか）を表し、ｓｓが秒（何秒であるか）を表す。
なお、監視制御盤１１は、各増幅器Ａ１〜Ａ１２に対して、ＲＴＣデバイス２１のＲＴＣにより計時されている時刻の情報を時刻データとして送信する。
このように、監視制御盤１１は、情報取得のための電文により各増幅器Ａ１〜Ａ１２の状態に関する情報を取得する際に、当該電文中に時刻データを含めることにより、各増幅器Ａ１〜Ａ１２に対して、時刻情報を常時通知する。
【００１７】
また、図３（Ｂ）に示される応答電文は、ＳＴＸ、所定の情報である“Ａｄ”、増幅器番号、アラーム情報、増幅器状態、Ｃ／Ｒといった情報から構成されており、同図（Ｂ）にはバイト数の例や設定値の例を示してある。なお、増幅器状態の情報としては、例えば、増幅器Ａ１〜Ａ１２の状態が正常であることを示す情報や、増幅器Ａ１〜Ａ１２の状態が異常であることを示す情報などが用いられ、それぞれに対応する値が用いられる。また、アラーム情報としては、例えば、増幅器Ａ１〜Ａ１２に異常が発生した場合に、その異常の原因や種類などを示す情報などが用いられ、それぞれに対応した値が用いられる。
本例では、各増幅器Ａ１〜Ａ１２は、自己（当該各増幅器Ａ１〜Ａ１２）にアラームが発生した時点以降において、通信により監視制御盤１１から通知された時刻（例えば、最初に通知された時刻）をアラームの発生時刻としてメモリなどに格納する。これにより、例えば各増幅器Ａ１〜Ａ１２のユニット内に計時機能を持たせなくとも、アラーム発生時刻を記録することが可能である。
【００１８】
以上のように、本例の基地局監視制御システムは、監視制御装置１と複数台の被監視装置（本例では、基地局装置の増幅装置２）により構成され、当該複数台の被監視装置を監視及び制御する機能を有する。なお、本例では、監視制御装置１が複数台の被監視装置を監視等する構成としたが、例えば、監視制御装置１が１台の被監視装置を監視等する構成としてもよい。また、本例の基地局監視制御システムでは、被監視装置における状態変化発生の通知及び状態変化に関する詳細な情報を取得するために、一般公衆電話の回線網５を用いており、例えば無線回線等を用いることも可能である。また、本例の基地局監視制御システムでは、被監視装置における情報を自動的に取得する機能や、取得した情報を保存しておく機能等を有しており、更に、時刻情報を時刻データとして送受信する機能を有している。また、本例では、被監視装置として、携帯端末用の基地局装置を構成する増幅装置２を用いている。
【００１９】
このように、本例の基地局監視制御システムでは、例えば計時機能を持たない構成ユニット（本例では、各増幅器Ａ１〜Ａ１２）におけるアラームの発生日や時刻を、監視制御装置１と監視制御盤１１との通信や、監視制御盤１１と当該構成ユニットとの通信により、当該構成ユニットに通知することができる。
従って、本例の基地局監視制御システムでは、例えば時計を持たない構成ユニットについても、当該構成ユニット内にアラーム発生日時を通知して格納することが可能であり、これにより、後日、当該構成ユニットのアラーム内容の解析を行う際の一助となる情報を残すことができる。また、本例の基地局監視制御システムでは、例えば全ての構成ユニットに計時機能やＲＴＣデバイスを搭載する必要がないため、構成ユニットのコストや部品点数を低減することができる。また、例えば全ての構成ユニットにＲＴＣを搭戴する場合には時刻合わせ等の処理手順が必要となるが、本例の構成では、このような必要がない。
【００２０】
なお、本例では、基地局監視制御システムにより監視システムが構成されており、監視制御装置１により監視装置が構成されており、各基地局装置の増幅装置２により被監視装置が構成されている。
また、本例の監視制御装置１では、被監視装置２の監視制御盤１１に対して時間情報を送信する機能により監視時間情報送信手段が構成されている。
また、本例の増幅装置２では、監視制御盤１１の機能により監視制御部が構成されており、各増幅器Ａ１〜Ａ１２により監視対象となる機器が構成されている。
また、本例の増幅装置２の監視制御盤１１では、監視制御装置１から送信される時間情報を受信する機能により監視時間情報受信手段が構成されており、ＲＴＣデバイス２１を用いて時間情報を管理する機能により時間情報管理手段が構成されており、各増幅器Ａ１〜Ａ１２に対して時間情報を送信する機能により時間情報送信手段が構成されており、各増幅器Ａ１〜Ａ１２に関する情報を監視制御装置１に対して送信する機能により監視制御監視対象機器情報送信手段が構成されている。
また、本例の増幅装置２の各増幅器Ａ１〜Ａ１２では、監視制御盤１１から送信される時間情報を受信する機能により時間情報受信手段が構成されており、自己（当該各増幅器Ａ１〜Ａ１２）の状態に関する情報と時間情報とを対応させてメモリに記憶する機能により監視対象機器情報記憶手段及び監視対象機器情報管理手段が構成されており、自己（当該各増幅器Ａ１〜Ａ１２）の状態に関する情報や当該情報に対応する時間情報を監視制御盤１１に対して送信する機能により監視対象機器情報送信手段が構成されている。
【００２１】
ここで、本発明に係る監視システムや監視装置や被監視装置や監視対象となる機器などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る監視システムや監視装置や被監視装置や監視対象となる機器などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２２】
【図１】本発明の一実施例に係る基地局監視制御システムの構成例を示す図である。
【図２】（Ａ）及び（Ｂ）は、監視制御装置と各基地局装置の監視制御盤との間で通信される電文の例を示す図である。
【図３】（Ａ）及び（Ｂ）は、各基地局装置において監視制御盤と増幅器との間で通信される電文の例を示す図である。
【符号の説明】
【００２３】
１・・監視制御装置、  ２・・増幅装置、  ３、４・・モデム、  ５・・一般電話回線網、  １１・・監視制御盤、  １２・・装置冷却用ファン、  ２１・・リアルタイムクロック（ＲＴＣ）デバイス、  Ａ１〜Ａ１２・・増幅器、
【図１】
2005182120.tif 000003
【図２】
2005182120.tif 000004
【図３】
2005182120.tif 000005